(57)【特許請求の範囲】
【請求項１】
ＬＣＤパネルを固定保持する固定構造であって、前記ＬＣＤパネルを保持する第１の保持体と、前記ＬＣＤパネルを保持する第２の保持体とを備え、前記第１、第２の保持体の全体が、弾性変形可能な弾性部材により成型され、前記第１の保持体、第２の保持体の少なくとも何れかに設けた凹部内に前記ＬＣＤパネルを収容して前記ＬＣＤパネルの周縁部を固定保持することを特徴とするＬＣＤパネルの固定構造。
【請求項２】
前記ＬＣＤパネルを保持する凹部は、前記第１の保持体と第２の保持体の双方に設けられたことを特徴とする請求項１記載のＬＣＤパネルの固定構造。
【請求項３】
ＬＣＤパネルを固定保持する固定構造であって、前記ＬＣＤパネルを保持するための凹部を形成した第１の保持体と、前記ＬＣＤパネルを保持するための凹部を形成した第２の保持体とを備え、前記第１、第２の保持体の全体が、弾性変形可能な弾性部材により成型され、前記第１の保持体の凹部とＬＣＤパネルとが係合することで、第１の保持体とＬＣＤパネルとが固定され、前記第２の保持体の凹部とＬＣＤパネルとが係合することで、第２の保持体とＬＣＤパネルとが固定され、且つ、前記第１の保持体と第２の保持体とを結合したことを特徴とするＬＣＤパネルの固定構造。
【請求項４】
前記第２の保持体は、枠体状であることを特徴とする請求項１〜３の何れかに記載のＬＣＤパネルの固定構造。
【発明の詳細な説明】
【０００１】
【発明の属する技術】
本発明は、ＬＣＤ（Ｌｉｑｕｉｄ  Ｃｒｙｓｔａｌ  Ｄｉｓｐｌａｙ）パネルの固定構造に関し、特にＬＣＤモニタ、ノート型パソコン、一体型デスクトップパソコン、その他ＬＣＤパネルを固定して使用する必要がある機器のＬＣＤパネルと保持体部の固定構造である。
【０００２】
【従来の技術】
従来、この種のＬＣＤパネルの固定構造はパネル枠上に設けられたネジ穴を利用し、ネジで固定するものが主流であった。
例えば、特開平５−９３９０１号には、ＬＣＤパネルが、保持用枠で固定され、カバーガラスも同時に枠を使用して実装する技術が掲載されている。
しかし、ここに開示された技術は、ＬＣＤパネルを基板等に実装する際、カバーガラスも同時にその枠を用いて実装するものである。したがって、本発明のように保持体間にＬＣＤパネルを収容して固定するものではなく、ＬＣＤパネルをラバーコネクターで挟んで支持するものであり、本発明と異なる技術思想である。
【０００３】
また、特開平７−９９３９４号には、ＬＣＤパネルの周囲をベゼルにて支持し、箱状のシャーシユニット８の側壁における辺には、ベゼルで支持された液晶モジュールを支持するネジが設けられている。
しかし、ここに開示された技術は、ＬＣＤパネル２を有する液晶モジュールが周囲をベセル（枠６）にて支持され、箱状のシャーシユニット内部側壁の４隅に設けられた受け部９にて取り付けられる機構である。したがって、本発明と異なる技術思想である。
【０００４】
また、特開平９−１４６１１３号にＬＣＤパネルを駆動するＬＳＩを搭載してなるＴＣＰが導電性のシールドケースに接触して、帯電し集積回路素子が静電破壊することを防ぐ表示モジュールが記載されている。
しかし、ここに開示された技術は、シールドケース内に表示用のＬＣＤパネル、駆動用ＬＳＩ等を収納してなるＬＣＤモジュールにおいて、ＬＣＤパネルが周辺部をスペーサーを介して上下シールドプレートで保持されている。つまり、集積回路素子の静電破壊を防止するものであり、本発明と異なる技術思想である。
【０００５】
また、特開平９−３１５４８７号には、ＬＣＤモジュールを固定するためのＬＣＤパネルの角部のでっぱりが不要となり、ヒートシールの幅に関係なく小型化したＬＣＤパネルを有するＬＣＤモジュールの収容保管等が製品へダメージを与えず、ヒートシール等への接続信頼性を低下させることのない、収納装置が記載されている。
しかし、ここに開示された技術は、粘着部材を使用して被収納物を固定するものであり、本発明と異なる技術思想である。
【０００６】
また、特開平１０−７０３８０号には、基板上に表示ユニット４を収容し、その周縁端面を保持する保持部材５と、この保持部材５内に収容された表示ユニット４の表示領域以外の部分を押さえ、保持部材内に表示ユニットを収容して、前記押さえ部材で前記表示ユニットを押さえた状態で押さえ部材を保持部材に固定するものである。
しかし、ここに開示された技術は、両面テープの使用を不要として位置決め精度を向上させると共に、実装面積を減少しつつバックライト発光領域及び表示領域を十分確保できるようにしたものであり、本発明のように設計の自由度を上げるものではない。
【０００７】
【発明が解決しようとする課題】
一方、上記のＬＣＤパネルの固定構造では、以下のような問題点を有していた。つまり、この従来技術では第１に設計に自由度が少ないという問題が存在した。その理由は、従来の場合、固定構造にはネジ等での勘合しか無い為、ネジ位置等固定手段を考慮した設計を行う必要がある為、自由度のある設計が難しかった為である。第２の問題点は、量産時の作業工数が多いと云う問題が存在した。
その理由は、固定にネジ等を利用する為その固定作業が追加される為である。
【０００８】
そこで本発明は、上記した従来の欠点を改良するべく、ＬＣＤパネル固定機構を改善する事で設計の自由度を上げる事を目的とする。
また、固定機構の簡素化による装置の小型化・軽量化をも目的とする。更に、本発明の他の目的は、ＬＣＤパネル取り外しの際の作業性向上からくる生産性向上にある。
【０００９】
【課題を解決するための手段】
本発明は上記課題を解決するため、基本的に以下に記載されたような構成を採用するものである。
即ち、本発明に係るＬＣＤパネルの固定構造は、
ＬＣＤパネルを固定保持する固定構造であって、前記ＬＣＤパネルを保持する第１の保持体と、前記ＬＣＤパネルを保持する第２の保持体とを備え、前記第１、第２の保持体の全体が、弾性変形可能な弾性部材により成型され、前記第１の保持体、第２の保持体の少なくとも何れかに設けた凹部内に前記ＬＣＤパネルを収容して前記ＬＣＤパネルの周縁部を固定保持することを特徴とするＬＣＤパネルの固定構造である。
【００１０】
【実施例】
以下に、本発明に係るＬＣＤパネルの固定構造の一具体例の構成を図面を参照しながら詳細に説明する。図１は、本発明に係るＬＣＤパネルの固定構造の一例を示す分解斜視図、図２は、同ＬＣＤパネルの固定構造の分離した状態を示す縦断面図である。本実施例において、ＬＣＤパネルの固定構造は、ＬＣＤパネル１０を保持する第１の保持体１１と、ＬＣＤパネルを保持する第２の保持体１２とを備え、前記第１、第２の保持体１１，１２間にＬＣＤパネル１０を収容して固定保持するものである。
【００１１】
第１の保持体１１の下面には、ＬＣＤパネル周縁端部１３を保持する凹部１１ａが形成されている。また、固定構造の一部である第１の保持体１１の周端部１１ｂは、弾性変形可能な弾性部材により成型されている。更に、第１の保持体１１の上面は、平坦に構成されている。ＬＣＤパネル１０の周縁端部は、２枚のガラス板を所定の間隔に保持し内部の液晶をシールする機能を有するものであって、２枚のガラス板の間隔を一定に維持できるように硬質材料にて形成されているものである。したがって、本発明では、第１と第２の保持体がかなりの圧力で上下から周縁端部１３を押圧しても、変形する事なくガラス板の間隔を維持し得る構成を有する。
【００１２】
第２の保持体１２は、ＬＣＤパネル周縁端部１３を保持する凹部１２ａを備えると共に、周端部１２ｂは、弾性変形可能な弾性部材により成型されている。また、第２の保持体１２には、中央部に窓１２ｃが形成されている。
【００１３】
次に、図２、図３を参照しつつ、本発明の組み立て動作について説明する。先ず、ＬＣＤパネル１０のＬＣＤパネル周縁端部１３を挟み込む様に、かつ、お互いが結合する様に造型された第１の保持体１１、及び第２の保持体１２を、図３に示す様に凹部が向かい合うよう結合させる。同時に、ＬＣＤパネル周縁端部１３をも押さえ込む事でＬＣＤパネル１０を保持・固定する。なお、第１の保持体１１及び、第２の保持体１２は弾性変形可能な弾性部材で形成される。
【００１４】
以上の様にＬＣＤパネル１０の周縁端面を第１の保持体１１及び、第２の保持体１２の凹部１１ａ，１２ａで挟み込む事で、第１の保持体１１と第２の保持体１２からの挟み込む力を利用しＬＣＤパネル１０を固定できる。また、本発明では、ＬＣＤパネルを固定する際にネジ等を利用せず、保持体材料でＬＣＤパネル１０を固定できる。更に、ＬＣＤパネル周縁端面に対し、保持部（保持機構）部材の弾性変形可能な範囲での応力を付与する事でＬＣＤパネルを固定する。
【００１５】
図４は、同ＬＣＤパネルの固定構造の第２の実施例を示す縦断面図である。本実施例において、凹部１２ａは、枠状の第２の保持体１２の周縁部にのみ形成されている。第１の保持体１１には、ＬＣＤパネル１０を保持する為の凹部が形成されていない。したがって、第１の保持体１１の厚さを薄くできる。
【００１６】
図５は、同ＬＣＤパネルの固定構造の第３の実施例を示す縦断面図である。本実施例において、凹部１１ａは、第１の保持体１１の周縁部にのみ形成されている。枠状の第２の保持体１２には、ＬＣＤパネル１０を保持する為の凹部が形成されていない。したがって、第２の保持体１２の厚さを薄くできる。
【００１７】
尚、本発明は以上の実施例に限ることなく本発明の技術思想に基づいて種々の設計変更が可能である。
【００１８】
【発明の効果】
第１の効果は、ＬＣＤモニタ、ノート型パソコン、一体型デスクトップパソコン、その他ＬＣＤパネルを固定する必要がある機器のＬＣＤパネル固定箇所の設計の自由度が増す。
その理由は、ＬＣＤパネルをネジ等で固定する必要が無い事から、ＬＣＤパネルの固定ネジ位置を設計段階で考慮する必要が無い為である。
【００１９】
第２の効果は、生産時にＬＣＤパネルをネジで固定する必要が無い為、パネル固定部分の作業性が向上する。
その理由は、ＬＣＤパネルを固定するのに保持体を組み合わせるだけで可能だからである。
【図面の簡単な説明】
【図１】図１は、本発明に係るＬＣＤパネルの固定構造の一例を示す分解斜視図である。
【図２】図２は、同ＬＣＤパネルの固定構造の分離した状態を示す縦断面図である。
【図３】図３は、同ＬＣＤパネルの固定構造の結合状態を示す縦断面図である。
【図４】図４は、同ＬＣＤパネルの固定構造の第２の実施例を示す縦断面図である。
【図５】図５は、同ＬＣＤパネルの固定構造の第３の実施例を示す縦断面図である。
【符号の説明】
１０        ＬＣＤパネル
１１        第１の保持体
１１ａ      凹部
１１ｂ      周端部
１２        第２の保持体
１２ａ  凹部
１２ｂ      周端部
１２ｃ      窓
１３        ＬＣＤパネル周縁端部
【図１】
0003631663.tif 000002
【図２】
0003631663.tif 000003
【図３】
0003631663.tif 000004
【図４】
0003631663.tif 000005
【図５】
0003631663.tif 000006